(57)【要約】【課題】  操作性を損なうことなく構造をより簡易化して低コストで処置できるようにする。【解決手段】  肛門及びその周囲を覆う面積の着色防水性のシート１１の片面に同シート１１を肛門周囲の肌面に脱着自在に密着させる剥離紙１４ａ付きの粘着層１４を設け、同シート１１の肛門に位置する部分を密着面と反対側へ膨出させて便Ｂを収容する所定容量の袋部１２を形成し、同袋部１２の中央部に指Ｍをシート１１とともに肛門へ挿入する挿入凹所１３を形成し、シート１１の密着面の肛門周囲位置に環状の吸収パッド１５を取り付ける。【選択図】図１
2006014966.tif 000002
【特許請求の範囲】
【請求項１】
肛門を含むその周囲を覆う面積の防水性のシートの片面に同シートを肛門周囲の肌面に密着させる剥離紙付きの粘着層を設け、同シートの肛門に位置する部分を密着面と反対側へ大きく膨出させて便を収容する可撓性の袋部を形成し、指を袋部の一部とともに直腸へ挿入後便を掻き出して袋部に収容できるようにした排便器具。
【請求項２】
袋部の中央部に指を挿入する挿入凹所を形成し、指を挿入し易くした請求項１記載の排便器具。
【請求項３】
肛門を含むその周囲を覆う面積の防水性のシートの片面に同シートを肛門周囲の肌面に密着させる剥離紙付きの粘着層を設け、同シートの肛門に位置する部分を密着面と反対側へ大きく膨出させて便を収容する可撓性の袋部を形成し、同袋部の中央部に直腸へ挿入して便を掻き出す掻出具を貫通させ、同貫通させた掻出具を袋部のシートと固着して袋部の余裕部分で掻出具を進退できるようにし、同掻出具の進退で掻き出された便を前記袋部に収容できるようにした排便器具。
【請求項４】
肛門を含むその周囲を覆う面積の防水性のシートの片面に同シートを肛門周囲の肌面に密着させる剥離紙付きの粘着層を設け、同シートの肛門に位置する部分を密着面と反対側へ大きく膨出させて便を収容する可撓性の袋部を形成し、同袋部の中央部に直腸へ挿入して便を掻き出す掻出具を貫通させ、同貫通させた掻出具を袋部のシートと水密状態に保持して袋部に対して掻出具を進退できるようにし、同掻出具の進退で掻き出された便を前記袋部に収容できるようにした排便器具。
【請求項５】
シートの肛門周囲位置に肛門を囲むように配置される吸収パッドを取り付け、掻き出し時に便がシート外へ漏出しないようにした請求項１〜４いずれか記載の排便器具。
【請求項６】
吸収パッドを粘着層の内側に取り付けた請求項５記載の排便器具。
【請求項７】
シートの密着面の外周部に袋部を閉塞する剥離紙付きの閉塞粘着部を設けた請求項１〜６いずれか記載の排便器具。
【請求項８】
シートの密着面側の閉塞粘着部の内側に吸収性の拭取パッドを取り付けた請求項１〜７いずれか記載の排便器具。
【請求項９】
拭取パッドに消毒・消臭・抗菌のいずれかの薬剤を浸漬させた請求項８記載の排便器具。
【発明の詳細な説明】
【技術分野】
【０００１】
本発明は、自力で排便できない人の便を容易な操作で強制的に排出できるようにする排便器具に関する。
【背景技術】
【０００２】
従来、直腸内から便を強制的に排出するには処置者が便を指で掻き出していた。人の指で処置することは被処置者にとって不快であり、処置に時間を要するという問題もあった。そこで、本発明人は破砕刃によって便を徐々に破砕して排出させる排便器具を発明し、実用に供している。ところで、この排便器具を繰り返し使用することは、洗浄等を行なっていても被処置者にとって不快なものであり、排便器具を使い捨てにするとコストが高くなっていた。
【０００３】
これに対し、本発明人はさらに肛門から腸内に挿入できる筒体を先端側から長尺の袋体内に挿入し、袋体の先端部分を筒体内部から外方へ引張する引張部材を設け、肛門から腸内に挿入しながら筒体の先端を便に押し付け、かつ引張部材で袋体を筒体内部へ引き込み、腸内の便を筒体内部の袋体内部へ取り込むようにして、筒体後部から袋体に便を収容した状態で体外に強制的に排出するようにした排便器具を発明した。
【０００４】
この排便器具は容易な操作で強制的に排便でき、器具を使い捨て可能になるようにコストを抑制できるものである。しかしながら、近年ではより低コストの排便器具が求められており、本発明はそのような事情に鑑みて成されたものである。
【特許文献１】特開２００３−１５９３２３号公報
【発明の開示】
【発明が解決しようとする課題】
【０００５】
本発明が解決しようとする課題は、従来のこれらの問題点を解消し、操作性を維持しつつ更に簡易な構造にしてコストをより低減できるようにした排便器具を提供することにある。
【課題を解決するための手段】
【０００６】
かかる課題を解決した本発明の構成は、
１）  肛門を含むその周囲を覆う面積の防水性のシートの片面に同シートを肛門周囲の肌面に密着させる剥離紙付きの粘着層を設け、同シートの肛門に位置する部分を密着面と反対側へ大きく膨出させて便を収容する可撓性の袋部を形成し、指を袋部の一部とともに直腸へ挿入後便を掻き出して袋部に収容できるようにした排便器具
２）  袋部の中央部に指を挿入する挿入凹所を形成し、指を挿入し易くした前記１）記載の排便器具
３）  肛門を含むその周囲を覆う面積の防水性のシートの片面に同シートを肛門周囲の肌面に密着させる剥離紙付きの粘着層を設け、同シートの肛門に位置する部分を密着面と反対側へ大きく膨出させて便を収容する可撓性の袋部を形成し、同袋部の中央部に直腸へ挿入して便を掻き出す掻出具を貫通させ、同貫通させた掻出具を袋部のシートと固着して袋部の余裕部分で掻出具を進退できるようにし、同掻出具の進退で掻き出された便を前記袋部に収容できるようにした排便器具
４）  肛門を含むその周囲を覆う面積の防水性のシートの片面に同シートを肛門周囲の肌面に密着させる剥離紙付きの粘着層を設け、同シートの肛門に位置する部分を密着面と反対側へ大きく膨出させて便を収容する可撓性の袋部を形成し、同袋部の中央部に直腸へ挿入して便を掻き出す掻出具を貫通させ、同貫通させた掻出具を袋部のシートと水密状態に保持して袋部に対して掻出具を進退できるようにし、同掻出具の進退で掻き出された便を前記袋部に収容できるようにした排便器具
５）  シートの肛門周囲位置に肛門を囲むように配置される吸収パッドを取り付け、掻き出し時に便がシート外へ漏出しないようにした前記１）〜４）いずれか記載の排便器具
６）  吸収パッドを粘着層の内側に取り付けた前記５）記載の排便器具
７）  シートの密着面の外周部に袋部を閉塞する剥離紙付きの閉塞粘着部を設けた前記１）〜６）いずれか記載の排便器具
８）  シートの密着面側の閉塞粘着部の内側に吸収性の拭取パッドを取り付けた前記１）〜７）いずれか記載の排便器具
９）  拭取パッドに消毒・消臭・抗菌のいずれかの薬剤を浸漬させた前記８）記載の排便器具
にある。
【発明の効果】
【０００７】
本発明によれば、従来と比較して操作性を損なわずに構造を簡易化しているから、より低コストに製造して処置に供することができる。
【発明を実施するための最良の形態】
【０００８】
本発明のシートは、ポリエチレン，ポリプロピレン等の可撓性を有する合成樹脂シートなど収容される便及びその臭気が外部へ漏洩しない防水性でしかも廃棄時に環境に影響を与えないものが望ましく、透明又は半透明あるいは着色を施したものが用いられる。掻出具は軟質の傘部を備えた弾性を有するプラスチックで構成し、肛門への挿入時の痛みを軽減するとともに腸壁の傷付きを防止する。掻出具の進退は、袋部の貫通部分と固着して袋部を構成するシートの余裕部分又はシートの伸縮性で進退させる方法、袋部の貫通部分と水密状態に保持して袋部に対して進退させる方法があり、シートの材質やコストに応じて任意に選ばれる。
【０００９】
シートの密着面には拭取パッドを取り付けておくと、処置後の拭清を行え、別途タオル等の用意を不要にできる。拭取パッドには必要に応じて予め消毒・消臭・抗菌のいずれかの薬剤を浸漬しておくとより衛生的に処置できる。また、シートの密着面の外周部に袋部を閉塞する閉塞粘着部を設けておくと、処置後袋部の口元を容易に閉塞して緊縛等を行うことなく臭気の漏洩を防止した状態で廃棄できる。以下、本発明の各実施例を図面に基づいて具体的に説明する。
【実施例１】
【００１０】
図１〜３に示す実施例１は、指により掻き出し操作を行なう排便器具の例である。図１は実施例１の排便器具の説明図、図２，３は実施例１の排便器具の使用状態を示す説明図である。図中、１０は排便器具、１１はシート、１２は袋部、１３は挿入凹所、１４は粘着層、１４ａは剥離紙、１５は吸収パッド、１６は閉塞粘着部、１６ａは剥離紙、１７は拭取パッド、Ｂは便、Ｈは直腸、Ｍは指である。
【００１１】
実施例１の排便器具１０は、図１に示すように肛門及びその周囲を覆う面積の可撓性を有する着色防水性のシート１１の片面に同シート１１を肛門周囲に脱着自在に密着させる環状の粘着層１４を設け、同シート１１の肛門に位置する部分を密着面と反対側へ膨出させて便Ｂを収容する所定容量の袋部１２を形成し、同袋部１２の中央部に指Ｍをシート１１とともに肛門へ挿入する挿入凹所１３を形成し、シート１１の密着面の肛門周囲位置に環状の吸収パッド１５を取り付け、同吸収パッド１５の外周に環状の閉塞粘着部１６と吸収性の拭取パッド１７を設けている。
【００１２】
まず、被処置者の肛門に必要に応じて潤滑クリーム等を塗布して滑り易くした後、図２（ａ）に示すように肛門周囲の肌面に吸収パッド１５を配置して剥離紙１４ａを剥離した粘着層１４でシート１１を貼着し、図２（ｂ）に示すように指Ｍを挿入凹所１３を通じてシート１１とともに肛門へ挿入する。指Ｍはシート１１に覆われているから汚れることはなく、指Ｍを奥深く挿入しても袋部１２を構成するシート１１の余裕部分が追随するので破れることもない。
【００１３】
次に、図３（ａ）に示すように指Ｍで直腸Ｈ内の便Ｂを外部へ掻き出し、挿入凹所１３の周囲に案内して袋部１２へ収容する。このとき、シート１１は粘着層１４で密着しているから臭気が外部へ漏洩することがない。これを指Ｍが届く範囲で繰り返して直腸Ｈ内の便Ｂを排出させていく。
【００１４】
便Ｂの排出が終了すると、図３（ｂ）に示すようにシート１１を肛門から脱離し、肛門やその周囲の汚れを拭取パッド１７で拭き取り、剥離紙１６ａを剥離した閉塞粘着部１６で袋部１２の口元を閉塞して排便器具１０を収容した便Ｂとともに廃棄する。このように、実施例１では便Ｂの排出操作が容易であり、また極めて簡易な使い捨ての構造であるから低コストで処置できる。
【実施例２】
【００１５】
図４〜６に示す実施例２は、掻出具により掻き出し操作を行なう排便器具の例である。図４は実施例２の排便器具の説明図、図５，６は実施例２の排便器具の使用状態を示す説明図である。図中、２０は排便器具、２１はシート、２２は袋部、２３は掻出具、２３ａは傘部、２３ｂは把持部、２５はシール部、２６は粘着層、２６ａは剥離紙、２７は吸収パッド、２８は閉塞粘着部、２８ａは剥離紙、２９は拭取パッドである。
【００１６】
実施例２の排便器具２０は、図４に示すように肛門及びその周囲を覆う面積の着色防水性の可撓性を有するシート２１の片面に同シート２１を肛門周囲に脱着自在に密着させる環状の粘着層２６を設け、同シート２１の肛門に位置する部分を密着面と反対側へ膨出させて便Ｂを収容する所定容量の袋部２２を形成し、同袋部２２の中央部に軟質の傘部２３ａを先端に備えた細長の掻出具２３をシート２１に貫通させてシール部２５による水密状態で進退自在に設け、シート２１の密着面の肛門周囲位置に環状の吸収パッド２７を取り付け、同吸収パッド２７の外周に環状の閉塞粘着部２８と吸収性の拭取パッド２９を取り付けている。
【００１７】
まず、被処置者の肛門に必要に応じて潤滑クリーム等を塗布して滑り易くした後、図５（ａ）に示すように肛門周囲の肌面に吸収パッド２７を配置して剥離紙２６ａを剥離した粘着層２６でシート２１を貼着し、図５（ｂ）に示すように把持部２３ｂを把持して掻出具２３を肛門へ挿入する。掻出具２３はシール部２５によりシールした状態が保持されるので、便Ｂや臭気が外部へ漏洩することがない。
【００１８】
次に、図６（ａ）に示すように掻出具２３の傘部２３ａで直腸Ｈ内の便Ｂを外部へ掻き出し、シール部２５の周囲に案内して袋部２２へ収容する。このとき、シート２１は粘着層２６で密着しているから臭気が外部へ漏洩することがない。これを掻出具２３の傘部２３ａが届く範囲で繰り返して直腸Ｈ内の便Ｂを排出させていく。
【００１９】
便Ｂの排出が終了すると、図６（ｂ）に示すように掻出具２３を退避後シート２１を肛門から脱離し、肛門やその周囲の汚れを拭取パッド２９で拭き取り、剥離紙２８ａを剥離した閉塞粘着部２８で袋部２２の口元を閉塞して排便器具２０を収容した便Ｂとともに廃棄する。このように、実施例２では便Ｂの排出操作が容易であり、また極めて簡易な使い捨ての構造であるから低コストで処置できる。
【００２０】
図７に示すのは実施例２の排便器具の他の例である。図７は実施例２の他の例の排便器具の説明図である。図中、２４は固着部である。実施例２の他の例の排便器具２０は、掻出具２３の途中をシート２１の貫通させた箇所と固着している。図７に示すように使用時において、掻出具２３を進退すると袋部２２を構成するシート２１がその余裕部分で進退するので掻き出しを阻害することがなく、操作性は何ら変わらないものである。この例はシール部２５を省略できるから、より低コストに製造できるものである。その他、符号、構成は実施例２と同じである。
【産業上の利用可能性】
【００２１】
本発明の排便器具は、お年寄り，患者，身障者等自力で排便できない人の処置に用いられる。
【図面の簡単な説明】
【００２２】
【図１】実施例１の排便器具の説明図である。
【図２】実施例１の排便器具の使用状態を示す説明図である。
【図３】実施例１の排便器具の使用状態を示す説明図である。
【図４】実施例２の排便器具の説明図である。
【図５】実施例２の排便器具の使用状態を示す説明図である。
【図６】実施例２の排便器具の使用状態を示す説明図である。
【図７】実施例２の他の例の排便器具の説明図である。
【符号の説明】
【００２３】
１０  排便器具
１１  シート
１２  袋部
１３  挿入凹所
１４  粘着層
１４ａ  剥離紙
１５  吸収パッド
１６  閉塞粘着部
１６ａ  剥離紙
１７  拭取パッド
２０  排便器具
２１  シート
２２  袋部
２３  掻出具
２３ａ  傘部
２３ｂ  把持部
２４  固着部
２５  シール部
２６  粘着層
２６ａ  剥離紙
２７  吸収パッド
２８  閉塞粘着部
２８ａ  剥離紙
２９  拭取パッド
Ｂ  便
Ｈ  直腸
Ｍ  指
【図１】
2006014966.tif 000003
【図２】
2006014966.tif 000004
【図３】
2006014966.tif 000005
【図４】
2006014966.tif 000006
【図５】
2006014966.tif 000007
【図６】
2006014966.tif 000008
【図７】
2006014966.tif 000009